(57)【要約】【課題】光走査装置の小型化と低コスト化を図りながら同期信号の分離を容易にする。【解決手段】それぞれ２個の半導体レーザとそれに対応する２個のカップリングレンズからなる複数の光源ユニット１ｙ，１ｋ及び１ｍ，１ｃから出射されたレーザビームＬｙ，Ｌｋ及びＬｍ，Ｌｃを、上下に角度位相をずらせたポリゴンミラー４ａ及び４ｂを一体に構成した回転偏向器４で偏向させ、周知の各光学素子を介して感光体ドラム２０ｙ，２０ｋ及び２０ｍ，２０ｃ上を矢示Ｘ又はＹ方向へ走査するとともに、レーザビームＬｙ，Ｌｋ及びＬｍ，Ｌｃをそれぞれ共有の同期センサ２１ａ，２２ａで受けて分離容易な同期信号を得る。【選択図】      図１
2004271763.tif 000002
【特許請求の範囲】
【請求項１】
複数の光源ユニットと、該複数の光源ユニットに配置されている発光素子により出射されたレーザビームをそれぞれ主走査方向に偏向する偏向手段と、該偏向手段によって偏向された各レーザビームを主走査線上で検出する検出手段とを備えた光走査装置において、
前記検出手段は各レーザビームで共有しており、前記偏向手段は同期上に互いに角度位相が異なる複数のポリゴンミラーを有していることを特徴とする光走査装置。
【請求項２】
請求項１記載の光走査装置において、前記光源ユニットの少なくとも一つは前記主走査方向に所定の間隔を保って走査するように配置された複数の発光素子からなることを特徴とする光走査装置。
【請求項３】
請求項１又は２記載の光走査装置を備え、複数の像担持体上を前記各レーザビームで走査することによりそれぞれ出力すべき画像の潜像を形成させるとともに、前記各像担持体ごとに前記潜像を可視像化する現像手段を設けたことを特徴とする画像形成装置。
【請求項４】
請求項３記載の画像形成装置において、前記複数の像担持体が、前記各レーザビームで走査することによりそれぞれ異なる色に対応する潜像を形成する複数の感光体であり、前記各現像手段が、前記複数の各感光体ごとにその各表面に形成された潜像をそれぞれ異なる色の現像剤によって可視像化する手段であり、その各現像手段によって可視像化した各色の画像を一枚の転写紙に順次重ねて転写することにより、カラー画像を形成するようにしたことを特徴とする画像形成装置。
【発明の詳細な説明】
【０００１】
【発明の属する技術分野】
この発明は、複数の光源ユニットから出射される複数本のレーザビームによって複数の像担持体上をそれぞれ走査するための光走査装置及びその光走査装置を備えたプリンタ，複写機，ファクシミリ等の画像形成装置に関する。
【０００２】
【従来の技術】
近年、複数の光源から出力される複数本のレーザビームを走査ビームとして出射させ、各走査ビームをそれぞれ複数の像担持体である感光体上に結像させて潜像を形成し、各感光体上の潜像をそれぞれ異なる色の現像剤によって可視像化して一枚の転写紙上に順次重ねて転写することによりカラー画像を形成するカラーレーザプリンタ等の画像形成装置が開発されている。このような画像形成装置においては、レーザビームで感光体を走査するために複数の走査手段を必要とするため、単色の画像形成装置に比して部品点数が多く、部品配置の自由度が小さくなって装置全体が大型化するきらいがある。
ところが、最近では、カラーレーザプリンタにも単色レーザプリンタ並みの小型化と生産性の向上が求められるようになり、複数の光源から出力される複数本のレーザビームを走査ビームとして出射する複数の光学系を１個のハウジング内に収納するとともに、複数の感光体を並列して設けたタンデム式の画像形成装置が実用化されている。
【０００３】
図８は、このようなタンデム式の画像形成装置に用いられている光走査装置の概略構成を示す斜視図である。
この光走査装置は、タンデム作像に対応したイエロー（Ｙ），ブラック（ＢＫ），マゼンタ（Ｍ），シアン（Ｃ）の各色毎の４ステーション書き込みにより高速化を図ったカラーレーザプリンタの書き込み部に用いられるものであり、上記の各色に対応する４個の光源ユニット１ｙ，１ｋ，１ｍ，１ｃから出射した各レーザビームＬｙ，Ｌｋ，Ｌｍ，Ｌｃは、それぞれシリンドリカルレンズ２ｙ，２ｋ，２ｍ，２ｃを通過した後、レーザビームＬｙ，Ｌｃは直接、レーザビームＬｋ，Ｌｍはミラー３ｋ，３ｍで反射して、それぞれ偏向手段を構成する回転偏向器４の偏向反射面近傍に主走査方向に長い線像を形成する。この回転偏向器４は、同軸上に所定の間隔をおいて固設された同一の角度位相をもつ第１，第２のポリゴンミラー４ａ，４ｂを有している。
【０００４】
そして、レーザビームＬｙ，Ｌｃは上段のポリゴンミラー４ａで、レーザビームＬｋ，Ｌｍは下段のポリゴンミラー４ｂでそれぞれ所定の走査面を走査するように偏向された後、それぞれ結像光学系である第１，第２のｆθレンズ５ａ，５ｂを通り、第１の折り返しミラー６ｙ，６ｋ，６ｍ，６ｃにより反射され、トロイダルレンズ７ｙ，７ｋ，７ｍ，７ｃを通り、第２の折り返しミラー８ｙ，８ｋ，８ｍ，８ｃ及び第３の折り返しミラー９ｙ，９ｋ，９ｍ，９ｃによりそれぞれ光路を偏向し、感光体ドラム２０ｙ，２０ｋ，２０ｍ，２０ｃ上の被走査面上に結像して主走査方向に走査する。
なお、図８においてはその図示を省略しているが、各レーザビームＬｙ，Ｌｋ及びＬｍ，Ｌｃの走査域の両端部にはそれぞれ同期ミラーが設けてあり、これらの同期ミラーに折り返されたレーザビームを受光し得る位置に、２本のレーザビームＬｙ，Ｌｋ用の同期センサ２１ａ，２１ｂを、残り２本のレーザビームＬｍ，Ｌｃ用の同期センサ２２ａ，２２ｂをそれぞれ設け、これらの同期センサ２１ａ，２１ｂ，２２ａ，２２ｂにより同期信号の検出手段を構成している。
このように、回転偏向器４の上下のポリゴンミラー４ａ，４ｂの異なる反射面にそれぞれ異なるレーザビームを同時に入射させて各ポリゴンミラーによって２本ずつのレーザビームを偏向し得るようにするとともに、異なる２本ずつのレーザビームの同期センサを共有するようにして光走査装置の構成を簡略化している。
【０００５】
【発明が解決しようとする課題】
しかしながら、このような従来の光走査装置にあっては、回転偏向器の上下のポリゴンミラーの角度位相が等しいため、２光路分の同期光が同時に１個の同期センサに入射する結果となり、それぞれ独立した同期信号を得ることが困難であった。そのため、図８に示した光走査装置においては、同一の同期センサを共有するレーザビームＬｙとＬｋ及びＬｍとＬｃで同期像高を若干（例えば４ｍｍ）変化させてそれぞれの信号を分離し得るようにしている。
ところが、実際には各折り返しミラーの配置精度等によりそれぞれの像高が多少ばらつくため、同期信号の分離を確実に行うためには、同期像高の差を充分にとらなければならず、そのためには、有効走査域を大きくする必要があり、レンズ等の各種光学素子が大型化する結果となる。そして、このような光走査装置を用いた画像形成装置は、大型化した光学素子のために装置全体も大型化するとともに製造コストが上昇するという問題があった。
【０００６】
図９は、図８に示した従来の光走査装置において、レーザビームＬｙ，Ｌｋが共用する同期センサ２１ａの出力（Ｖ）と時間（ｔ）との関係を示すタイミングチャートであり、（ａ）は像高差による分離ができている状態、すなわち、配置精度が良好に保たれている状態であるが、多くの場合は次の（ｂ）の状態になり勝ちである。（ｂ）はレーザビームＬｙとレーザビームＬｋとの像高が近接した状態を示している。なお、同図中Ｙｎ，ＢＫｎは、それぞれｎライン目のレーザビームＬｙ，Ｌｋの出力信号（同期信号）を示すものである。
図９（ａ）に示すように像高差による分離ができている場合、各色の同期信号Ｙｎ，ＢＫｎ及びＹｎ＋１，ＢＫｎ＋１が明確に分離されて良好な画像形成を行うことができるが、同図（ｂ）に示すように像高差による分離が不充分であると、同期信号Ｙｎ，ＢＫｎ及びＹｎ＋１，ＢＫｎ＋１がそれぞれ重なって同期検知ができないため、良好な画像形成を行うことができなくなる。
【０００７】
また、このような光走査装置を備えた画像形成装置において生産性をさらに向上させるには、回転偏向器を高速（例えば３０，０００ｒｐｍ程度）で回転させることが要求されるが、このような高速回転になると、図９に示した各色の同期信号は数μｓｅｃ間隔で出力されるようになって同期分離が一層難しくなるとともに、ポリゴンミラー駆動用モータの寿命も短くなり、装置稼動時の騒音も増大するという問題点がある。
この発明は上記の点に鑑みてなされたものであり、光走査装置及びそれを備えた画像形成装置において、光学素子を長大化させることなく、安定した同期信号の分離とそれに伴う良好な画像形成を可能にしながら、一層の小型化と低コスト化を図ることを目的とする。
【０００８】
【課題を解決するための手段】
この発明は上記の目的を達成するため、複数の光源ユニットと、これら複数の光源ユニットに配置されている発光素子により出射されたレーザビームをそれぞれ主走査方向に偏向する偏向手段と、この偏向手段によって偏向された各レーザビームを主走査線上で検出する検出手段とを備えた光走査装置において、上記検出手段を各レーザビームで共有するとともに、上記偏向手段は、同軸上で互いに角度位相が異なる複数のポリゴンミラーを有している光走査装置を提供するものである。
そして、上記の光走査装置において、上記光源ユニットの少なくとも一つは上記主走査方向に所定の間隔を保って走査するように配置された複数の発光素子からなるようにするのが好ましい。
【０００９】
また、上記のような光走査装置を備え、複数の像担持体上を上記各レーザビームで走査することによりそれぞれ出力すべき画像の潜像を形成させるとともに、上記各像担持体ごとに上記潜像を可視像化する現像手段を設けた画像形成装置も提供する。
【００１０】
さらに、上記の画像形成装置において、上記複数の像担持体が、上記各レーザビームで走査することによりそれぞれ異なる色に対応する潜像を形成する複数の感光体であり、上記各現像手段が、上記複数の感光体ごとにその各表面に形成された潜像をそれぞれ異なる色の現像剤によって可視像化する手段であり、その各現像手段によって可視像化した各色の画像を一枚の転写紙に順次重ねて転写することにより、カラー画像を形成することが可能となる。
【００１１】
【発明の実施の形態】
以下、この発明の好ましい実施形態を図面に基づいて具体的に説明する。
図１は、その光走査装置の全体構成の概略を示す斜視図、図２は、それを模式的に示した側面図、図３は、図を簡略化して理解を容易にするために、図１の各ステーションのうちの一つ（Ｙステーション）の構成及び光路を示す斜視図、図４は、その光源ユニットの構成を模式的に示した断面図である。なお、これらの図において図８に対応する部分には同一の符号を付して示してある。
この実施形態においても、その光学系の基本構成は図８に示した従来周知のものと同様であるので、これからの説明は主として、図８と異なる部分及び同図で構成を省略した部分について述べることにする。
【００１２】
第１に、この実施形態における各光源ユニット１ｙ，１ｋ，１ｍ，１ｃ（以下総合して「光源ユニット１」という）は、図４に示すように、同一の光源ホルダ１０に発光素子である半導体レーザからなる第１，第２の光源１１，１２と、その２つの光源１１，１２をカップリングする第１，第２のカップリングレンズ１３，１４とを公知の調整手段（図示しない）により第１，第２のレーザビームＬ１，Ｌ２が主走査方向に所定の開き角を有するように調整して固定したマルチビーム光源である。
このような構成からなるマルチビーム光源を各色の光源ユニット１ｙ，１ｋ，１ｍ，１ｃとして用いることにより、感光体ドラム２０ｙ，２０ｋ，２０ｍ，２０ｃ上を所定の間隔（例えば８ｍｍ）で走査させることが可能になる。この間隔は、各光源ユニット作成時にそれぞれ第１，第２の光源１１，１２と第１，第２のカップリングレンズ１３，１４の位置を調整しておくことにより、殆どバラツキなく生産することが出来る。また、各光源ユニットをこのように構成することにより、回転偏向器４の回転数を低減させることができ、ポリゴンモータの高寿命化と騒音の低減を図ることが可能になる。
【００１３】
第２に、この実施形態における回転偏向器４は、上下２段のポリゴンミラー４ａ，４ｂを角度位相を所定角度（例えば３０度）ずらせて配設することにより、同期像高が同一でも同期信号の間隔を大きくし得るようにした。
図５は、上下のポリゴンミラー４ａ，４ｂに角度位相差を設けた場合の光路図であり、同時に発光した光源から回転偏向器４へ入射するレーザビームＬ１，Ｌ３又はＬ２，Ｌ４はそれぞれ上下のポリゴンミラー４ａ，４ｂで反射し、反射ビームＬ１ａ，Ｌ３ａ又はＬ２ａ，Ｌ４ａとして被走査面Ｓ上の異なる像高位置に導かれ、この像高差分とポリゴンミラー４ａ，４ｂの角度位相差分を加えただけ同期信号の間隔を明けることができ、分離不能のおそれをなくすることが可能になる。
この場合、上下のポリゴンミラー４ａ，４ｂの角度位相の差は厳密に管理する必要はなく、同期信号の分離に必要な所定の角度以上の差があればよいため、製造上の問題は発生しない。また、その製造方法も、上下一体の素材を上下で角度位相差をつけて研削するようにしてもよく、１本の軸に２枚のミラーをそれぞれ圧入あるいは焼き嵌め等で一体とすることもでき、これらは製造コストや所要の反射面精度等によって随時選択することが可能である。
【００１４】
ここで、上記のような光源ユニット及び回転偏向器を有する実施形態の詳細な構成及び作用をイエロー（Ｙ）ステーションを代表として示す図３を参照して説明する。光源ユニット１ｙは、前述のように第１，第２の光源１１，１２を有し、それぞれ２個の半導体レーザと２個のコリメートレンズを備えたマルチビーム光源であり、回転偏向器４は、上段，下段のポリゴンミラー４ａ，４ｂが所定の角度位相差（例えば３０度）を設けて配設されている。
光源ユニット１ｙから出射したレーザビームＬｙは、シリンドリカルレンズ２ｙを通り図示を省略した複数のミラーにより光路を折り曲げられて回転偏向器４の上段のポリゴンミラー４ａの偏向反射面近傍に主走査方向に長い線像を形成する。ポリゴンミラー４ａに達したレーザビームＬｙは、所定の走査面を走査するように偏向され、２層に形成された第１のｆθレンズ５ａの上層部を通過した後第１の折り返しミラー６ｙによって折り返され、トロイダルレンズ７ｙを通って第２，第３の折り返しミラー８ｙ，９ｙで折り返され、防塵ガラス１５ｙを通って感光体ドラム２０ｙの被走査面上に結像して走査する。
【００１５】
第２の折り返しミラー８ｙと第３の折り返しミラー９ｙとの間には、走査方向Ｘの先端側及び後端側に同期ミラー１６ａ，１６ｂが設けてあり、先端側の同期ミラー１６ａで反射された端部のレーザビームＬｙは同期センサ２１ａの図示していないフォトダイオード上に、後端側の同期ミラー１６ｂで反射された端部のレーザビームは同期センサ２１ｂの図示していないフォトダイオード上に結像する。そして、同期センサ２１ａは走査ラインの同期に用いられ、同期センサ２１ｂは、同期センサ２１ａとともに走査速度、すなわち画像の倍率を計測するために用いられる。
なお、この図３で示した構成はイエロー（Ｙ），マゼンタ（Ｍ），シアン（Ｃ），ブラック（ＢＫ）の各ステーションが有しているので、図１及び図２においては図３に示した各光学素子に対応する部分には同一の符号にそれぞれｙ，ｍ，ｃ，ｋのサフィックスを付して示すものとする。
【００１６】
そして、回転偏向器４に関して図３に示す側にはＹステーションとＢＫステーションが、反対側にはＣステーションとＭステーションがそれぞれ設けてあり、この反対側にも走査方向Ｙの先端側及び後端側にそれぞれ同期ミラー１７ａ，１７ｂ及び同期センサ２２ａ，２２ｂを設け、回転偏向器４を各ステーションで共有するとともに、同期ミラー１６ａ，１６ｂと同期センサ２１ａ，２１ｂをＹ，ＢＫ両ステーションで共有し、同期ミラー１７ａ，１７ｂと同期センサ２２ａ，２２ｂをＣ，Ｍ両ステーションで共有するようにして装置の簡略化を図っている。また、図１及び図２において、同期ミラー１６ａ，１６ｂ，１７ａ，１７ｂによって反射させたレーザビームＬｙ，Ｌｋ，Ｌｍ，Ｌｃをそれぞれ同期センサ２１ａ，２１ｂ，２２ａ，２２ｂに導くために、特に説明しないが随時他のミラーが設けてある。
【００１７】
なお、図１及び図３において、各感光体ドラム２０ｙ，２０ｋ，２０ｍ，２０ｃの最も外側に結像しているレーザビームのすぐ内側のレーザビームが同期像高すなわち有効画像範囲（例えば各色２９７ｍｍ）を示しており、最も外側に仮想線で示すレーザビームは、実際には途中で折り返されて被走査面には到達しない。
【００１８】
図６（ａ）〜（ｄ）は、この実施形態において、同一の同期センサを共有する２つのレーザビームＬｙ，Ｌｋのセンサ出力（Ｖ）と時間（ｔ）との関係を示すタイミングチャートであり、（ａ）は本実施形態を示すもの、（ｂ）〜（ｄ）はポリゴンミラー４ａ，４ｂに角度位相差を設けない状態を仮想した場合をそれぞれ示している。なお、図６において、Ｙ１ｎ，Ｙ２ｎは、光源ユニット１ｙの第１，第２の光源から出射されるｎライン目の出力信号、ＢＫ１ｎ，ＢＫ２ｎは、同一の同期センサ２１ａを共有する光源ユニット１ｋの第１，第２の光源から出射されるｎライン目の出力信号を表すものである。
ポリゴンミラー４ａ，４ｂの角度位相差を設けなくても、光走査系を構成する各光学素子の部品精度及び配置精度が良好な場合には、図６の（ｂ）に示すように、像高差による分離が可能である。
しかし、レーザビームＬｙとＬｋの像高が離れた場合及び近接した場合は、それぞれ図６の（ｃ）及び（ｄ）に示すように出力信号ＢＫ１ｎとＹ２ｎ又はＹ１ｎとＢＫ１ｎ及びＹ２ｎとＢＫ２ｎがそれぞれ重なって同期検出ができない。
ところが、このような状態でも本実施例のようにポリゴンミラー４ａ，４ｂに角度位相差を設けると、図６の（ａ）に示すように、出力信号Ｙ１ｎ，Ｙ２ｎと出力信号ＢＫ１ｎ，ＢＫ２ｎとの間隔は大きく離れるため同期検出はきわめて容易になる。
【００１９】
次に、上記のような光走査装置を備えた画像形成装置の一実施形態について、その概略構成を模式的に示す図７を参照して説明する。
この画像形成装置は、筐体３０に２段の給紙カセット３１ａ，３１ｂを挿着したレーザプリンタである。筐体３０内には、各給紙カセット３１ａ，３１ｂに装填されたサイズの異なる転写紙を最上位のものから１枚ずつ給紙する給紙ローラ３２ａ，３２ｂと、それらの転写紙を搬送する搬送ローラ３３と、転写紙に画像を転写するために上記転写紙を搬送する搬送ベルト３４と、その転写画像を定着させるための定着ローラ３５と、転写された転写紙を排出するための排紙ローラ３６とを設けてこれらにより転写紙搬送路を形成している。
そして、搬送ベルト３４上に、マゼンタ（Ｍ），シアン（Ｃ），イエロー（Ｙ），ブラック（ＢＫ）の各色の画像を形成するための像担持体である４色の感光体ドラム２０ｍ，２０ｃ，２０ｙ，２０ｋを転写紙の搬送方向に沿って配列し、各感光体ドラム２０ｍ，２０ｃ，２０ｙ，２０ｋをそれぞれ矢示方向に回転させるようにする。
【００２０】
これらの各感光体ドラム２０ｍ，２０ｃ，２０ｙ，２０ｋの方向に前述の光走査装置を配置し、そのケースの下面に設けられた４個の窓孔から４本のレーザビームＬｍ，Ｌｃ，Ｌｙ，Ｌｋを出射し、不図示の帯電チャージャにより帯電された各感光体ドラム２０ｍ，２０ｃ，２０ｙ，２０ｋの表面を走査して静電潜像を形成する。
各感光体ドラム２０ｍ，２０ｃ，２０ｙ，２０ｋのレーザビームＬｍ，Ｌｃ，Ｌｙ，Ｌｋによる走査位置の下流側に、それぞれマゼンタ，シアン，イエロー，ブラックの各現像剤を収納した現像手段としての現像器３７ｍ，３７ｃ，３７ｙ，３７ｋを設け、各現像器にはそれぞれユニットケースと現像剤としてのトナーカートリッジ及び現像ローラが備えられている。
【００２１】
さらに、搬送ベルト３４を挾んで各感光体ドラム２０ｍ，２０ｃ，２０ｙ，２０ｋと対向する位置にそれぞれ転写ローラを設け、その下流側にはそれぞれクリーニングユニットが設けられているが、これらはいずれも周知のものであるからその図示は省略する。
そして、各感光体ドラム２０ｍ，２０ｃ，２０ｙ，２０ｋの表面に、レーザビームＬｍ，Ｌｃ，Ｌｙ，Ｌｋの走査によって形成された潜像を各現像器３７ｍ，３７ｃ，３７ｙ，３７ｋによってそれぞれマゼンタ，シアン，イエロー，ブラックの現像剤によって現像して可視像化し、それぞれの画像を、給紙カセット３１ａ，３１ｂのいずれか一方から給紙され搬送ベルト３４によって搬送される転写紙に重ねて転写し、定着ローラ３５によって加熱，加圧して定着した後、排紙ローラ３６によって外部に排出する。
なお、この光走査装置は、レーザプリンタ以外の複写機やファクシミリ装置等のレーザビームによる光走査装置を用いる他の画像形成装置にも適用し得ることは言うまでもない。また、上記の光走査装置ではすべての光源ユニットをマルチビーム光源としたが、これは必ずしも必要とするものではなく、単一のビーム光源を配置した光源ユニットを複数配置してもよい。この場合、２枚のポリゴンミラーの面が互いに異なる位相であるため、この位相差により各信号は分離が十分可能になる。例えば位相差を設けることにより、最大走査幅の１／２（Ａ３機では１５０ｍｍ）の間隔を容易に設けることができる。もちろん、各ビームで同期による像高差をさらに付加することにより、より明瞭に各信号が分離されることになる。さらには、この複合形態、すなわち、単一のビーム光源を配置した光源ユニットと、複数のビーム光源を配置した光源ユニットとを設けることにより複数の光源ユニットとしてもよい。
【００２２】
【発明の効果】
以上述べたように、この発明によれば以下に記載する効果を奏する。
この発明による光走査装置によれば、光学素子を長大化させることなく、安定した同期信号の分離とそれに伴う良好な画像形成を可能にしながら、一層の小型化と低コスト化が達成される。同時に偏光手段を高速回転させる必要がなくなって、長寿命化と稼動時の騒音低減を図ることが可能になる。
また、上記の光走査装置を備えた画像形成装置によれば、上記のような光走査装置を画像形成装置の書込み手段として用いることにより、装置の大型化とコスト高を伴うことなく安定した画像形成が可能になり、小型でコスト安のカラー画像形成装置を得ることができる。
【図面の簡単な説明】
【図１】この発明による光走査装置の全体構成の概略を示す斜視図である。
【図２】同じく、その模式的な側面図である。
【図３】図１の各ステーションの一つの構成及び光路を示す斜視図である。
【図４】同じくその光源ユニットを模式的に示す断面図である。
【図５】同じくその回転偏光体により偏向された光路を示す光路図である。
【図６】同じくその同期センサの出力と時間との関係を示すタイミングチャートである。
【図７】この発明による画像形成装置の一実施形態の概略を示す構成図である。
【図８】従来の光走査装置の概略を示す斜視図である。
【図９】同じくその同期センサの出力と時間との関係を示すタイミングチャートである。
【符号の説明】
１ｙ，１ｋ，１ｍ，１ｃ：光源ユニット
２ｙ，２ｋ，２ｍ，２ｃ：シリンドリカルレンズ
４：回転偏向器      ５ａ：第１のｆθレンズ
５ｂ：第２のｆθレンズ
６ｙ，６ｋ，６ｍ，６ｃ：第１の折り返しミラー
７ｙ，７ｋ，７ｍ，７ｃ：トロイダルレンズ
８ｙ，８ｋ，８ｍ，８ｃ：第２の折り返しミラー
９ｙ，９ｋ，９ｍ，９ｃ：第３の折り返しミラー
１０：光源ホルダ    １１：第１の光源
１２：第２の光源    １３，１４：カップリングレンズ
１６ａ，１６ｂ，１７ａ，１７ｂ：同期ミラー
２０ｙ，２０ｋ，２０ｍ，２０ｃ：感光体ドラム
２１ａ，２１ｂ，２２ａ，２２ｂ：同期センサ
３０：筐体          ３１ａ，３１ｂ：給紙カセット
３２ａ，３２ｂ：給紙ローラ    ３３：搬送ローラ
３４：搬送ベルト    ３５：定着ローラ
３６：排紙ローラ
３７ｙ，３７ｋ，３７ｍ，３７ｃ：現像器
Ｌｍ：マゼンタ用のレーザビーム
Ｌｃ：シアン用のレーザビーム
Ｌｙ：イエロー用のレーザビーム
Ｌｋ：ブラック用のレーザビーム
【図１】
2004271763.tif 000003
【図２】
2004271763.tif 000004
【図３】
2004271763.tif 000005
【図４】
2004271763.tif 000006
【図５】
2004271763.tif 000007
【図６】
2004271763.tif 000008
【図７】
2004271763.tif 000009
【図８】
2004271763.tif 000010
【図９】
2004271763.tif 000011